(57)【要約】【課題】凸部が形成された印刷物をプリンタの給紙部に多数枚積載しても安定した給紙を実現する積層印刷物を提供する。【解決手段】印刷情報を形成した第1のシートと第２のシートが接着剤によって積層された印刷物において、第１のシートは、少なくとも１つの開口部または切り欠きを有し、第１のシートと第２のシートが積層された時に、第１のシートの開口部または切り欠き部分から表出する第２のシートの領域に凸部が形成された積層印刷物を提供する。【選択図】  図１
2005349735.tif 000002
【特許請求の範囲】
【請求項１】
印刷情報を形成した第1のシートと第２のシートが接着剤によって積層された印刷物において、
第１のシートは、少なくとも１つの開口部または切り欠きを有し、
第１のシートと第２のシートが積層された時に、第１のシートの開口部または切り欠き部分から表出する第２のシートの領域に凸部が形成されたことを特徴とする積層印刷物。
【請求項２】
請求項1に記載の積層印刷物において、
第２のシートの積層面には、積層された状態で第１のシート面から目視で判読可能な数字または／および記号からなるユニーク情報が形成されたことを特徴とする積層印刷物。
【請求項３】
請求項１〜２何れかに記載の積層印刷物において、
第２のシートに形成された凸部は、積層された状態で第１のシートの開口部の外に飛び出さない高さで形成されたことを特徴とする積層印刷物。
【請求項４】
請求項１〜３何れかに記載の積層印刷物において、
第１のシートは、第２のシートが２つ折りにされた片方であることを特徴とする積層印刷物。
【発明の詳細な説明】
【技術分野】
【０００１】
本発明は、印刷物に関し、詳しくは一方のシートに形成された潜像領域を保護するために、潜像領域をカバーする大きさの開口部が形成されたもう一方のシートを積層して平坦なシートとした印刷物に関する。
【背景技術】
【０００２】
コピー機による偽造を牽制する手段として、また、コピーされた偽造物の判別手段として、印刷物の１部に小さな網点を形成する方法や、印刷物に潜像を生成する方法が実用されている。
前述の小さな網点を印刷物の１部に使用する方法は、高性能のコピー機では効を奏しなくなってきているが、一方の印刷物に潜像を生成する方法は、コピー機の性能とは無関係であるために高額な金券などに利用されている。
印刷物に潜像を生成する方法は、万線パターンが印刷された領域にエンボスや印刷手段によって凹凸を形成し、凹凸形成領域に見る角度によって異なった潜像パターンを生成するものである。
潜像生成領域を有する印刷物は、正面から見た時に万線以外は視認できないために、コピー機で複製された偽造品は、万線部のみを再現する。したがって、複製物の潜像生成領域を所定の角度で観察しても前述の潜像部を再現することができない。
また、印刷物に潜像を形成する方法は、真贋判定のために判定具や、検査装置等を必要としない。
前述のように印刷物に潜像を生成する方法は、極めて有用な偽造防止方法であるとして、近年、これらに関連する技術が開示されている（例えば、特許文献１参照）。
【０００３】
一方で、潜像付印刷物をプリントする場合に、プリンタの給紙部は、例えば、１０００枚〜３０００枚の印刷物を積載するために、潜像生成部の厚さの累積によって最上部が盛りあがって安定した給紙が行われないという課題を生じる。
そのため、大量に積載できるプリンタでありながら小量づつ積載しながらプリントしているのが現状である。
また、給紙部に積載された上記印刷物は、凸部形成部の裏側が浅い凹部になっているために、上下に積載された印刷物同士がギアのように噛み合って離れないという現象が生じ、給紙トラブルを起こしている。
【０００４】
【特許文献１】特開２００２−１９２５５号公報
【発明の開示】
【発明が解決しようとする課題】
【０００５】
そこで、凸部が形成された印刷物をプリンタの給紙部に多数枚積載しても安定した給紙を実現する積層印刷物を提供する。
【課題を解決するための手段】
【０００６】
前記の課題の目的を達成するために、本発明の積層印刷物の請求項１に記載の発明は、印刷情報を形成した第1のシートと第２のシートが接着剤によって積層された印刷物において、第１のシートは、少なくとも１つの開口部または切り欠きを有し、第１のシートと第２のシートが積層された時に、第１のシートの開口部または切り欠き部分から表出する第２のシートの領域に凸部が形成されたことを特徴とするものである。
【０００７】
また、請求項２に記載の発明は、請求項1に記載の発明において、第２のシートの積層面には、積層された状態で第１のシート面から目視で判読可能な数字または／および記号からなるユニーク情報が形成されたことを特徴とするものである。
【０００８】
また、請求項３に記載の発明は、請求項１〜２何れかに記載の発明において、第２のシートに形成された凸部は、積層された状態で第１のシートの開口部の外に飛び出さない高さで形成されたことを特徴とするものである。
【０００９】
また、請求項４に記載の発明は、請求項１〜３何れかに記載の発明において、第１のシートは、第２のシートが２つ折りにされた片方であることを特徴とするものである。
【発明の効果】
【００１０】
１）請求項１に記載のように、印刷情報を形成した第1のシートと第２のシートが接着剤によって積層された印刷物において、第１のシートは、少なくとも１つの開口部または切り欠きを有し、第１のシートと第２のシートが積層された時に、第１のシートの開口部または切り欠き部分から表出する第２のシートの領域に凸部が形成されたことによって、積層印刷部は、一枚の平坦なシートとして取り扱うことができ、プリンタなどによる給紙の際にフィードトラブルを起こすことがない。
２）また、請求項２に記載のように、請求項1に記載の発明において、第２のシートの積層面には、積層された状態で第１のシート面から目視で判読可能な数字または／および記号からなるユニーク情報が形成されたことによって、積層印刷物である特徴を活かして第２のシートに印刷されたユニーク情報を消しゴムなどで消して別な番号，記号に変えてしまう改竄などから護ることができ、一方で、コピー機などによる複写物の真偽判定要素として利用できる。
３）また、請求項３に記載のように、請求項１〜２何れかに記載の発明において、第２のシートに形成された凸部は、積層された状態で第１のシートの開口部の外に飛び出さない高さで形成されたこによって、潜像生成機能の低下を防止することができる。
４）また、請求項４に記載のように、請求項１〜３何れかに記載の発明において、第１のシートは、第２のシートが２つ折りにされた片方であることによって、積層印刷物の製造方法が簡略化され、印刷物の品質が安定し、コストダウンを実現することができる。
【発明を実施するための最良の形態】
【００１１】
以下、図面を参照して、本発明の積層印刷物について説明する。
図１は、本発明の積層印刷物の一例を示す平面図，図２は、本発明の積層印刷物の積層前の状態について説明するための図，図３は、図１のＡ−Ａ線断面の一例を示す図，図４は、図１のＡ−Ａ線断面の他の一例示す図，図５は、潜像生成領域の一例示す図，図６は、潜像生成領域の他の一例示す図，図７は、潜像生成領域の他の一例示す図である。
【００１２】
図１を参照して、本発明の積層印刷物の一例について説明する。
積層印刷物１０は、図示しないが第1のシートと、第２のシートが接着剤によって積層されたものである。
第1のシートの印刷領域１２には、たとえば図に示すように、商品券の文字や、商品券の金額、図示しないが商品券の表面デザインが印刷によって形成されている。
また、積層印刷物１０の右上には、第２のシートに形成された商品券管理のための透かしコード２２が第１のシートを透かして見えるようになっている。
この透かしコードは、第1のシートと、第２のシートの間に挟まれて印刷表示されているために、削ったり、化学薬品で消去したりして改竄することができない。
【００１３】
透かしコード２２は、商品券管理コードとして使用される以外に、金額表示欄、例えば、商品券の金額を表示している「５００，０００円」の部分の改竄を防止するために、商品券の何れかの場所に、見える大きさで「五拾」，「５０」等と印刷して、改竄の有無をチェックするために使用することもできる。
また、積層印刷物１０の右下には、第１のシートに形成された開口部１１を通して、第２のシートに形成された潜像生成領域２１が見えるようになっている。
潜像生成領域２１では、観察する角度によって異なったパターンが見えるようになっており、図５，６，７で説明する。
このように、本発明の積層印刷物は、複写（コピー）機による不正複製と、削り，消去などによる改竄を困難にしたものとなっている。
【００１４】
図２を参照して、本発明の積層印刷物の積層前の状態について説明する。
図１で説明したように、積層印刷物は、第１のシート１の裏面と、第２のシート２の表面が接着剤層を介して積層されている。
第1のシート１の印刷領域１２には、商品券の文字や、商品券の金額，図示しないが商品券の表面デザインが印刷によって形成されている。
また、第１のシート１には開口部１１が形成され、第２のシートに形成された潜像生成領域２１が表出するようになっている。
第２のシート２の接着面には、商品券管理のための透かしコード２２が墨インキ等可視光領域で識別され易い高濃度のインキで印刷されている。
【００１５】
図３を参照して、図１のＡ−Ａ線断面の一例について説明する。
第１のシート１と、第２のシート２が接着剤層３を介して接着され、積層印刷物１０を形成している。
第１のシート１には開口部１１が形成され、開口部１１の内側の第２のシート領域には潜像生成領域２１が形成されている。
第２のシート２の潜像生成領域２１には、接着剤層側に型押しなどの方法で凹凸が形成されている。従って、図３に示す例では、第２のシート２の凸部の裏側は、凹部が形成された状態となっている。
開口部に形成された凸部が第１のシートによって形成された窪みの外に出ることがないように、第1のシートの厚さや、凹凸の高さが設定される。図示しないが、第２のシートの開口部表出面には、万線で構成されたパターンが印刷される。
【００１６】
図４を参照して、図１のＡ−Ａ線断面の他の一例について説明する。
図３同様、第１のシート１と、第２のシート２が接着剤層３を介して接着され、積層印刷物１０を形成している。
第１のシート１には開口部１１が形成され、開口部１１の内側の第２のシート領域には潜像生成領域２１が形成されている。
第２のシート２の潜像生成領域２１には、接着剤層側に印刷インキによる複数の山部が凹版印刷などの方法によって形成される。
凹版印刷などの方法によって形成された複数の山部は、不透明な樹脂インキによって形成される。図４に示す例は、図３に示す例と異なり、凸部の裏側には殆ど凹部が形成されない。
図３の場合と同様、開口部に形成された凸部が第１のシートによって形成された窪みの外に出ることがないように、第1のシートの厚さや、凹凸の高さが設定される。図示しないが、第２のシートの開口部表出面には、万線で構成されたパターンが印刷される。
【００１７】
図５を参照して、潜像生成領域の一例について説明する。
図３に示す潜像生成領域２１を拡大すると図５に示すようになっている。
潜像生成領域の凹凸部は、1点鎖線で示す山（凸）２１０ｂと、点線で示す谷（凹）２１０ａで構成されている。図５に示す例は、印刷インキによる万線状のパターンが凹凸部に平行に形成され、凹凸部の山、または谷のピッチは同一ピッチとなっている。
図５に示す例は、印刷による万線ピッチと、凹凸のピッチを、１対１．５としているために、印刷の万線の１本目の線と、凹凸パターンの最初の山が一致した後は、印刷万線のパターンの６本目の線と、凹凸パターンの４本目の山部で一致する。
このような状態を矢印３で示す方向から観察した場合に、潜像２１０は、潜像生成領域２１に示すように観察され、３本の線が視認される。
【００１８】
図６を参照して、潜像生成領域の他の一例について説明する。
潜像生成領域の凹凸部分は、1点鎖線で示す山部（凸）２１１ｂと、点線で示す谷部（凹）２１１ａで構成されている。図６に示す例は、印刷インキによる万線状のパターンが凹凸部に平行に形成され、凹凸部の山、または谷のピッチは同一ピッチとなっている。
図６に示す例は、印刷による万線のピッチと、凹凸のピッチを、１対１としているために、印刷の万線の１本目の線が凹凸パターンの最初の谷に一致した後は、全ての万線は凹凸部の全ての谷部と一致する。
このような状態を矢印３で示す方向から観察した場合は、潜像生成領域２１には線が山部の影となって潜像２１１は視認されない。
【００１９】
図７を参照して、潜像生成領域の他の一例について説明する。
図７に示す例は、図５，図６に示す例と異なり、凹凸の山の稜線と、印刷による万線が平行になっていない場合である。
このよう場合は、矢印３で示す方向から観察した場合に、潜像２１２は、山部の稜線と万線が交わった場所に頻繁に現れた状態で観察される。
【００２０】
図３，図４で明らかなように、積層印刷物１０を重ねた時に、凹凸部、または凸部が積層構造に形成された開口部１１によって保護され、平らなシートとして扱うことができる。また、潜像生成領域２１が加圧されることがないために凹凸が平坦化し、劣化することもない。
【００２１】
（実施例）
積層印刷物を連続フォームを印刷する機械で作製するために、第１のシートと第２のシートを同一の厚さとし、同一の紙質とした。
まず、グラビアコータ−により、重さ５３ｇ／ｍ2の上質紙の片面に、コールドシール型の接着剤を塗布して乾燥し、ロールで巻き取った。
オフセット輪転印刷機によって、粘着剤塗布面に潜像生成のための万線パターン（線幅２００μｍ，ピッチ４５０μｍ）を青インキで印刷し、更に、番号器によって透かしコードをユニークコードで印刷し、接着剤が塗布されていない面に商品券の所定の印刷を行い、更に、紙のセンターに対し潜像生成領域と対称な位置に開口部（２５ｍｍ×１５ｍｍの長方形）を形成し、中央部で折り畳んで圧着して積層印刷物とし、商品券の５面付けの状態にカットした。
５面付けシートのそれぞれの開口部に型押し機によって凹凸（ピッチ４５０μｍ，高低差３０〜８０μｍ）を形成した。
最後に１面の商品券サイズに裁断し、積層状態の潜像生成領域を有する透かしコードつき印刷物を得た。
墨インキで印刷された透かしコードは、明確に読取ることができ、潜像生成部は良好な潜像を生成した。
カット紙プリンタのフィーダ部に商品券を１０００枚積載し、プリントテストを行い、フィードトラブルもなく良好な結果を得ることができた。
本実施例では、同一のシートを２つ折りして貼り合わせ、型押しを行ったが、例えば、２枚の同種または異種用紙を重ねて貼り合わせ、型押しを行い作製しても良い。
また、ロール状で型押しし、同種または異種用紙を重ねて貼り合わせても良い。
【産業上の利用可能性】
【００２２】
本発明の積層印刷物は、金券類，証明書，契約書等の印刷物に利用できる。
【図面の簡単な説明】
【００２３】
【図１】本発明の積層印刷物の一例を示す平面図である。
【図２】本発明の積層印刷物の積層前の状態について説明するための図である。
【図３】図１のＡ−Ａ線断面の一例示す図である。
【図４】図１のＡ−Ａ線断面の他の一例示す図である。
【図５】潜像生成領域の一例示す図である。
【図６】潜像生成領域の他の一例示す図である。
【図７】潜像生成領域の他の一例示す図である。
【符号の説明】
【００２４】
１      第１のシート
２      第２のシート
３      矢印
１０    積層印刷物
１１    開口部
１２    印刷領域
２１    潜像生成領域
２２    透かしコード
２１０，２１１，２１２  潜像
２１０ａ，２１１ａ，２１２ａ  凹凸部の谷部
２１０ｂ，２１１ｂ，２１２ｂ  凹凸部の山部
２１０ｃ，２１１ｃ，２１２ｃ  万線部
【図１】
2005349735.tif 000003
【図２】
2005349735.tif 000004
【図３】
2005349735.tif 000005
【図４】
2005349735.tif 000006
【図５】
2005349735.tif 000007
【図６】
2005349735.tif 000008
【図７】
2005349735.tif 000009